(57)【要約】【課題】付加的反応の伴うコミュニケーションを実現することができるゲームシステムを提供する。【解決手段】ゲームシステム１は、各ユーザの押しボタンＢＤに対する押す操作を利用する音楽ゲームをそれぞれ提供する複数のゲーム機３にネットワーク５を介して接続される。そして、ゲームシステム１は、一のゲーム機３Ａにおいてユーザによって実際に押す操作が実行された場合に、その押す操作の内容を示す案内画像５５が付加されるべき付加対象のゲーム機３Ｂを所定の条件に基づいて特定し、案内画像５５を付加するための操作結果の情報をその付加対象のゲーム機３Ｂに提供するとともに、その押す操作に伴い実際に押された押しボタンＢＤの組合せが追加条件を満たした場合に、その組合せに対応するコメント５７を付加するためのコメントの情報を更にその付加対象のゲーム機３Ｂに提供する。【選択図】図３
2019017665.tif 000002
【特許請求の範囲】
【請求項１】
各ユーザの所作を利用するゲームをそれぞれ提供する複数のゲーム装置にネットワークを介して接続され、各ゲーム装置を通じて前記ゲームを提供するゲームシステムであって、
前記複数のゲーム装置の一のゲーム装置において当該一のゲーム装置のユーザによって実際の所作が実行された場合に、当該実際の所作に対応する第１反応が付加されるべき付加対象のゲーム装置を所定の条件に基づいて特定する対象特定手段と、
前記対象特定手段の特定結果に基づいて、前記第１反応を付加するための第１情報を前記付加対象のゲーム装置に提供する第１情報提供手段と、
前記実際の所作が追加条件を満たした場合に、前記第１反応とは別の第２反応を付加するための第２情報を前記付加対象のゲーム装置に提供する第２情報提供手段と、
を備え、
前記第１情報提供手段及び前記第２情報提供手段の少なくともいずれか一方は、前記第１情報及び前記第２情報の少なくともいずれか一方として前記ユーザのコメントを提供するためのコメント情報を前記付加対象のゲーム装置に提供する、ゲームシステム。
【請求項２】
前記対象特定手段は、前記一のゲーム装置がグループ条件に基づくグループに属する場合に、当該グループを前記所定の条件として利用し、当該グループに属する他のゲーム装置を前記付加対象のゲーム装置として特定する、請求項１に記載のゲームシステム。
【請求項３】
前記ゲームは、二以上のゲーム装置を所定期間にマッチングし、当該二以上のゲーム装置によって少なくとも一部が共有されるように構成され、
前記対象特定手段は、前記二以上のゲーム装置が前記グループとして機能するように前記マッチングの結果を前記グループ条件として利用し、
前記第１情報提供手段及び前記第２情報提供手段は、前記所定期間において前記第１情報及び前記第２情報を前記他のゲーム装置に提供する、請求項２に記載のゲームシステム。
【請求項４】
前記第１情報提供手段は、前記ユーザによって複数種類の所作が実行され得る場合に、前記第１反応として前記実際の所作の種類の案内が付加されるように、前記実際の所作の種類の情報を前記第１情報として前記付加対象のゲーム装置に提供し、
前記第２情報提供手段は、前記複数種類の所作が複数のコメントにそれぞれ関連付けられる場合に、前記第２反応として前記実際の所作の種類に対応するコメントが付加されるように、当該コメントに対応する前記コメント情報を前記第２情報として前記付加対象のゲーム装置に提供する、請求項１〜３のいずれか一項に記載のゲームシステム。
【請求項５】
前記第１情報提供手段は、各ゲーム装置が複数の操作部及び表示装置を有する場合に、前記複数の操作部の少なくとも一部に対する操作の組合せの相違を前記複数種類の所作のそれぞれとして利用し、前記操作の組合せを示す組合せ画像を前記案内として含む案内画面を前記表示装置が表示するように、前記操作の組合せの情報を前記実際の所作の種類の情報として前記付加対象のゲーム装置に提供し、
前記第２情報提供手段は、前記追加条件として前記操作の組合せを利用し、当該操作の組合せが所定の組合せに該当する場合に、当該操作の組み合わせに対応するコメントが前記第２反応として前記案内画面に表示されるように、当該コメントに対応する前記コメント情報を前記付加対象のゲーム装置に提供する、請求項４に記載のゲームシステム。
【請求項６】
前記複数のゲーム装置に前記ネットワークを介して接続されるコンピュータを、請求項１〜５のいずれか一項に記載のゲームシステムの各手段として機能させるように構成されたコンピュータプログラム。
【発明の詳細な説明】
【技術分野】
【０００１】
本発明は、各ユーザの所作を利用するゲームをそれぞれ提供する複数のゲーム機にネットワークを介して接続され、各ゲーム機を通じてそのゲームを提供するゲームシステム等に関する。
【背景技術】
【０００２】
各ユーザの所作を利用するゲームをそれぞれ提供する複数のゲーム機にネットワークを介して接続され、各ゲーム機を通じてそのゲームを提供するゲームシステムが存在する。このようなゲームとして、複数のユーザによるセッションを実現するために、各ゲーム装置のユーザ同士をマッチングする音楽ゲームを提供するゲームシステムが知られている（例えば特許文献１参照）。
【先行技術文献】
【特許文献】
【０００３】
【特許文献１】特開２０１３−３４５５３号公報
【発明の概要】
【発明が解決しようとする課題】
【０００４】
特許文献１のゲームシステムでは、マッチングに伴い待ち時間が生じてしまう。一方、ユーザ間のコミュニケーションを許容するゲームでは、このような待ち時間を活用し、コメントの送受信が実行される場合もある。このような場合、時間に制限があるため予め用意された複数のコメント（感情等を表現する画像、いわゆるスタンプを含む）から選択することによりコメントの送受信を実現する場合が多い。しかし、このような場合、ユーザの選択とそれに伴い送信先に送信されるコメント（反応）とが直結しているため、送信者の想定外の反応或いは想定以上の反応は生じない。このため、このようなコメントの送受信に面白味（遊びの要素）を付加する余地がある。
【０００５】
そこで、本発明は、付加的反応の伴うコミュニケーションを実現することができるゲームシステム等を提供することを目的とする。
【課題を解決するための手段】
【０００６】
本発明のゲームシステムは、各ユーザの所作を利用するゲームをそれぞれ提供する複数のゲーム装置にネットワークを介して接続され、各ゲーム装置を通じて前記ゲームを提供するゲームシステムであって、前記複数のゲーム装置の一のゲーム装置において当該一のゲーム装置のユーザによって実際の所作が実行された場合に、当該実際の所作に対応する第１反応が付加されるべき付加対象のゲーム装置を所定の条件に基づいて特定する対象特定手段と、前記対象特定手段の特定結果に基づいて、前記第１反応を付加するための第１情報を前記付加対象のゲーム装置に提供する第１情報提供手段と、前記実際の所作が追加条件を満たした場合に、前記第１反応とは別の第２反応を付加するための第２情報を前記付加対象のゲーム装置に提供する第２情報提供手段と、を備え、前記第１情報提供手段及び前記第２情報提供手段の少なくともいずれか一方は、前記第１情報及び前記第２情報の少なくともいずれか一方として前記ユーザのコメントを提供するためのコメント情報を前記付加対象のゲーム装置に提供するものである。
【０００７】
一方、本発明のコンピュータプログラムは、前記複数のゲーム装置に前記ネットワークを介して接続されるコンピュータを、上述のゲームシステムの各手段として機能させるように構成されたものである。
【図面の簡単な説明】
【０００８】
【図１】本発明の一形態に係るゲームシステムの概略構成を示す図。
【図２】ゲームシステムの制御系の要部を示す機能ブロック図。
【図３】コメントサービスの概要を説明するための説明図。
【図４】マッチング中に表示される案内画面の一例を模式的に示す図。
【図５】コメントデータの構成の一例を示す図。
【図６】コメント追加処理の手順の一例を示すフローチャート。
【図７】案内追加処理の手順の一例を示すフローチャート。
【発明を実施するための形態】
【０００９】
以下、本発明の一形態に係るゲームシステムの一例を説明する。まず、図１を参照して、本発明の一形態に係るゲームシステムの全体構成を説明する。ゲームシステム１は、サーバ装置としてのセンターサーバ２と、センターサーバ２に所定のネットワーク５を介して接続可能なクライアント装置としての複数のゲーム機３及び複数のユーザ端末装置４とを含む。センターサーバ２は、複数のコンピュータ装置としてのサーバユニット２Ａ、２Ｂ…が組み合わされることにより一台の論理的なサーバ装置として構成されている。ただし、単一のサーバユニットによりセンターサーバ２が構成されてもよい。あるいは、クラウドコンピューティングを利用して論理的にセンターサーバ２が構成されてもよい。
【００１０】
ゲーム機３は、ゲーム装置の一例であって、所定のプレイ料金の支払いと引き換えに、そのプレイ料金に対応した範囲でユーザにゲームをプレイさせる商業用（業務用）のゲーム機として構成されている。この種のゲーム機３は、アーケードゲーム機と呼ばれることがある。ゲーム機３は、多数のユーザにゲームを繰り返しプレイさせて収益を上げることを主たる目的として店舗６等の所定の施設に設置されるコンピュータ装置である。ゲーム機３は、音楽に合わせて操作パネル上の多数の操作部を選択的に操作するといった音楽ゲームをプレイするための音楽ゲーム機として構成されている。ただし、音楽ゲーム機は、操作部の操作を要求する例に限定されず、音楽に合わせてステップを踏む、腕を振るといった各種の所作をユーザに指示するように構成されてよい。なお、ゲーム機３は、音楽ゲームに限定されず、適宜に各種のゲームを提供してよい。
【００１１】
ユーザ端末装置４は、ネットワーク接続が可能でかつユーザの個人用途に供されるコンピュータ装置である。例えば、据置型又はブック型のパーソナルコンピュータ（以下、ＰＣと表記する。）４ａ、あるいは携帯電話（スマートフォンを含む。）のようなモバイル端末装置４ｂがユーザ端末装置４として利用される。その他にも、据置型の家庭用ゲーム機、携帯型ゲーム機、携帯型タブレット端末装置といった、ネットワーク接続が可能でかつユーザの個人用途に供される各種のコンピュータ装置がユーザ端末装置４として利用されてよい。ユーザ端末装置４は、各種のコンピュータソフトウエアを実装することにより、センターサーバ２が提供する種々のサービスをユーザに享受させることが可能である。
【００１２】
ネットワーク５は、センターサーバ２に対してゲーム機３及びユーザ端末装置４をそれぞれ接続させることができる限り、適宜に構成されてよい。一例として、ネットワーク５は、ＴＣＰ／ＩＰプロトコルを利用してネットワーク通信を実現するように構成される。典型的には、ＷＡＮとしてのインターネット５Ａと、センターサーバ２及びゲーム機３のそれぞれとインターネット５Ａとを接続するＬＡＮ５Ｂ、５Ｃとがルータ５Ｄを介して接続されることにより構築される。ユーザ端末装置４も適宜の構成によりインターネット５Ａに接続される。なお、ゲーム機３と店舗６のルータ５Ｄとの間にローカルサーバが設置され、そのローカルサーバを介してゲーム機３がセンターサーバ２と通信可能に接続されてもよい。センターサーバ２のサーバユニット２Ａ、２Ｂ…はＬＡＮ５Ｃに代えて、又は加えてＷＡＮ５Ａにより、相互に接続される場合もある。
【００１３】
センターサーバ２は、ゲーム機３又はそのユーザに対して各種のゲーム機用サービスを提供する。ゲーム機用サービスは、ネットワーク５を介して複数のユーザが共通のゲームをプレイする際にユーザ同士をマッチングするマッチングサービス、及び音楽ゲームをプレイするユーザ間においてコメントの送受信を実現するためのコメントサービスを含んでいる。コメントサービスの詳細は後述する。
【００１４】
なお、ゲーム機用サービスとして、ゲーム機３からユーザの識別情報を受け取って、そのユーザを認証するサービスが提供されてもよい。また、認証したユーザのプレイデータをゲーム機３から受け取って保存し、或いは保存するプレイデータをゲーム機３に提供するサービスが提供されてもよい。さらに、ゲーム機用サービスは、ネットワーク５を介してゲーム機３のプログラム或いはデータを配信し、更新するサービス、或いはユーザから料金を徴収する課金サービス等を含んでいてよい。同様に、センターサーバ２は、ネットワーク５を介してユーザ端末装置４のユーザに各種のＷｅｂサービスを提供してよい。Ｗｅｂサービスは、ゲーム機３が提供するゲームに関する各種の情報を提供するゲーム用情報サービス、各ユーザ端末装置４に各種データ或いはソフトウエアを配信（データ等のアップデートを含む）する配信サービス、ユーザによる情報発信、交換、共有といった交流の場を提供するコミュニティサービス、及び各ユーザを識別するためのユーザＩＤを付与するサービス等のサービスを含んでよい。
【００１５】
次に、図２を参照してゲームシステム１の制御系の要部を説明する。まず、センターサーバ２には、ゲームサービス管理部２１、及び記憶手段としての記憶部２３が設けられる。ゲームサービス管理部２１は、センターサーバ２のコンピュータハードウエア（ＣＰＵ及びその動作に必要な内部記憶装置としてのメモリを含む。）とソフトウエアとの組み合わせによって実現される論理的装置である。記憶部２３は、ハードディスクアレイ等の不揮発性記憶媒体（コンピュータ読み取り可能な記憶媒体）を含んだ記憶ユニットによって実現される外部記憶装置である。記憶部２３は、一の記憶ユニット上に全てのデータを保持するように構成されてもよいし、複数の記憶ユニットにデータを分散して記憶するように構成されてもよい。記憶部２３には、センターサーバ２のコンピュータハードウエア資源をゲームサービス管理部２１として機能させるためのソフトウエアとしてのコンピュータプログラムＰＧ１が記録される。また記憶部２３には各種のデータも記録されるが、図２ではコメントデータ５１が示されている。コメントデータ５１は、音楽ゲームにおいてユーザ間のコミュニケーションに使用されるコメント（文章だけでなく、いわゆるスタンプ等の画像を含む）を管理するためのデータである。コメントデータ５１は、複数のコメントとそれを送信するためにユーザに要求される複数の所作とが関連付けられて記憶部２３に記録される。コメントデータ５１の詳細は後述する。
【００１６】
ゲームサービス管理部２１は、ゲーム機３に対して上述のゲーム機用サービスを提供する。ゲームサービス管理部２１には、論理的装置としてのサービス提供部２４がさらに設けられる。サービス提供部２４は、少なくとも二台のゲーム機３のユーザ同士をマッチングするマッチング処理のうち、サーバ側にて行うべき処理を実行する。同様に、サービス提供部２４は、各ゲーム機３のユーザ間においてコメントの送受信を実現するためのコメント追加処理及び案内追加処理のうち、サーバ側にて行うべき処理を実行する。コメント追加処理及び案内追加処理の手順については後述する。
【００１７】
次に、ゲーム機３には、ゲーム制御部３１と記憶手段としての記憶部３２とが設けられる。ゲーム制御部３１は、ゲーム機３のハードウエア（ＣＰＵ及びその内部記憶装置としてのメモリを含む。）とソフトウエアとしてのコンピュータプログラムＰＧ２との組み合わせによって実現される論理的装置である。ゲーム制御部３１は、ゲームの進行に必要な各種の演算制御を実行するとともに、センターサーバ２のゲームサービス管理部２１が提供するゲーム機用サービスを享受するために必要な各種の処理を実行する。ゲーム制御部３１には、さらなる論理的装置としてゲーム提供部３３が設けられている。ゲーム提供部３３は、センターサーバ２のサービス提供部２４と協働してゲーム機３のユーザを他のユーザとマッチングさせるために必要な処理を実行する。また、ゲーム提供部３３は、センターサーバ２のサービス提供部２４と協働して各ゲーム機３のユーザ間のコメント送受信を実現するために必要な処理も実行する。
【００１８】
記憶部３２は、ハードディスク、半導体記憶装置といった不揮発性記憶媒体（コンピュータ読み取り可能な記憶媒体）を含んだ記憶ユニットによって実現される外部記憶装置である。記憶部３２には、上述したプログラムＰＧ２とともに、各種のデータが記録されるが、図３ではセンターサーバ２から提供されたゲームデータ５２が示されている。ゲームデータ５２は、プログラムＰＧ２に従ってユーザに所定の音楽ゲームをプレイさせるために必要な各種のデータを含んでいる。具体的には、ゲームデータ５２は、ユーザのプレイ対象となるべき多数の楽曲を再生するための音源データ、各楽曲を選択する際の目安となるべき音楽的特徴（例えば曲名、ジャンル、難易度等）を記述した楽曲情報、楽曲の再生に合わせてユーザに指示すべき一連の操作の内容を記述したシーケンスデータといった各種のデータ及び情報を含んでいる。なお、ゲームデータ５２は、上述のコメントデータ５１を含んでいてもよい。このようなコメントデータ５１は、ゲーム機用サービスの一部としてセンターサーバ２から適宜送信されてよい。
【００１９】
ゲーム機３には、ユーザの所作として操作に対応した信号を出力する入力装置３６、ユーザにゲーム画面等を提示するための表示装置３７及びカードリーダ３８といった各種の入出力装置が設けられる。カードリーダ３８は、ユーザが所持するカード３９に記録されたカード毎にユニークなカードＩＤを読み取るための装置である。カード３９は、ユーザの認証或いは料金の徴収等に使用されてよい。
【００２０】
次に、コメントサービスの詳細を説明する。コメントサービスは、ネットワーク５を介してセンターサーバ２に接続される複数のゲーム機３のうち、所定の条件に基づいて特定された二以上のゲーム機３間のユーザ間においてコミュニケーションを実現するために提供される。また、このコミュニケーションは、ユーザの所作に伴う第１反応及びその所作が追加条件を満たした場合に付加される第２反応を含み、これらの二つの反応を相手先に生じさせることにより実現される。
【００２１】
図３を参照して、コメントサービスの一例について具体的に説明する。図３は、所定の条件としてグループ条件に基づくグループが利用されるようにそのグループ内においてコミュニケーションが実行される場合のコメントサービスの概要を説明する説明図である。また、図３は、音楽ゲームの少なくとも一部を共有（協力プレイ、対戦プレイ、或いは進行状況や得点等のゲーム結果の共有だけでもよい）するようにマッチングされた各ゲーム機３のユーザがグループとして利用される場合、つまりこのようなマッチングの結果がグループ条件として利用される場合を示している。さらに、図３の例は、マッチング処理中、つまり音楽ゲームを共有する各ユーザを決めるための所定期間（音楽ゲームを共有する所定人数が確定するまでの間）にコメントサービスが提供される場合を示している。
【００２２】
図３に示すように、この場合、マッチングを通じて所定数のゲーム機３が一つのグループＧＰにグループ化され、これらのマッチングされた（グループ化された）各ゲーム機３のユーザ間でコメント送受信が実行される。つまり、コメントサービスを介して、音楽ゲームを共有するユーザ間においてコミュニケーションを実現するためのコメント送受信の機会がマッチング中（所定期間内）に提供される。
【００２３】
具体的には、各ゲーム機３の入力装置３６には、縦横に４つずつ１６個の操作部としての押しボタンＢＤが格子状に設けられている。マッチング中には、これらの押しボタンＢＤの少なくとも一部を組み合わせるように押す操作が許容される。このような押す操作がグループＧＰ内の一のゲーム機３（以下、一のゲーム機３Ａと呼ぶ場合がある）において実行された場合には、その一のゲーム機３Ａにおいて実行された押す操作の内容（例えば組み合わせの詳細）を案内するための案内画像５５が第１反応として同じグループＧＰ内の他のゲーム機３（以下、これらをまとめて他のゲーム機３Ｂと呼ぶ場合がある）に表示される。案内画像５５は、１６個の押しボタンＢＤにそれぞれ対応するように、１６個の押しボタン画像５６を同様の格子状に含んでいる。各押しボタンＢＤへの押す操作に伴い、各押しボタン画像５６の表示態様は、配色の変化等を通じて変化する。つまり、各押しボタン画像５６は、１６個の押しボタンＢＤの少なくとも一部に対する押す操作の組合せを示すように表示態様が変化する。結果として、案内画像５５は、各押しボタン画像５６の表示態様の変化を通じて、一のゲーム機３Ａの押す操作の内容を同じグループＧＰの他のゲーム機３Ｂに案内する。
【００２４】
また、上述のような押す操作が追加条件を満たした場合には、各種のコメントの表示を含むコメント欄５７が第２反応として追加的に他のゲーム機３Ｂに表示される。追加条件は、押された押しボタンＢＤの組合せが所定の組合せに該当する場合に満たされる。また、各種のコメントは押す操作の種類と関連付けられ、押す操作の種類は押された押しボタンＢＤの組合せの相違により相違する。つまり、押された押しボタンＢＤの組合せが所定の組合せに該当する場合に、その組合せに対応するコメントがコメント欄５７に表示される。この場合、各押しボタンＢＤに対する押す操作及び一のゲーム機３Ａのユーザによって実際に実行された押す操作が本発明の所作及び実際の所作としてそれぞれ機能する。また、各押しボタンＢＤに対する押す操作の組合せの相違が本発明の複数種類の所作として機能する。そして、押す操作の組合せ（実際の所作の種類）を示すように表示態様が変化する押しボタン画像５６を含むことにより案内画像５５が本発明の案内及び組合せ画像として機能する。
【００２５】
図３の例では、一のゲーム機３Ａの入力装置３６が拡大されて模式的に示されている。また、そこではユーザによって押す操作が実行された押しボタンＢＤが右斜線で示されている。具体的には、マッチングに伴い４台がグループ化され、そのうちの一のゲーム機３Ａにおいて馬の形状を形成するように８つの押しボタンＢＤが押されている。この場合、同じグループＧＰに属する残り３台の他のゲーム機３Ｂには馬の形状を形成するように８つの押しボタンＢＤにそれぞれ対応する８つの押しボタン画像５６の配色が格子状の斜線に変化した案内画像５５が第１反応として表示されている。そして、この馬の形状を形成する押しボタン画像５６の組合せが追加条件を満たすため、その組合せに対応するコメントを表示するコメント欄５７が第２反応として他のゲーム機３Ｂに表示されている。この場合、マッチングによってグループ化された４台のゲーム機３が本発明の二以上のゲーム機として機能する。また、一のゲーム機３Ａの他の残り３台のゲーム機３Ｂが本発明の付加対象のゲーム機として機能する。
【００２６】
図４を参照して、案内画像５５及びコメント欄５７を表示するための案内画面６０の一例について説明する。案内画面６０は、マッチング中に表示装置３７に表示される画面である。案内画面６０は、コミュニケーション領域６１を含んでいる。コミュニケーション領域６１は、同じグループＧＰに属する各ゲーム機３の押す操作の内容を案内する領域である。つまり、コミュニケーション領域６１には、同じグループＧＰの各ゲーム機３に対応する案内画像５５及びコメント欄５７が表示される。図４の例は、同じグループＧＰに属する４台のゲーム機３の全ユーザが押す操作を実行した場合を示している。この場合、コミュニケーション領域６１には、各ゲーム機３に対応する４つの案内画像５５（自機の案内画像５５は省略されてもよい）が表示される（並び順や配置等はゲーム機３毎に適宜変化してよい）。
【００２７】
また、図４の例は、同じグループＧＰに属する４台のゲーム機３のうち、３台において馬の形状に対応する押す操作が、残りの一台においていわゆるスフィンクス（ライオンの体と人の顔を持つ架空の生物）の形状に対応する押す操作が、それぞれ実行され、これらがいずれも追加条件を満たす場合を示している。この場合、コミュニケーション領域６１には、馬の形状に対応するように配色の変化した押しボタン画像５６を含む３つの案内画像５５、及びスフィンクスの形状に対応するように配色の変化した押しボタン画像５６を含む一つの案内画像５５が表示される。また、３つの案内画像５５には馬の形状の押す操作に関連付けられるコメント（例えば“ひひーん”）を表示するコメント欄５７が、残り一つの案内画像５５にはスフィンクスの形状の押す操作に関連付けられるコメント（例えば“すふぃんくす”）を表示するコメント欄５７が、それぞれ付加されている。
【００２８】
なお、追加条件を満たす所定の組合せは、動物の形状に対応する組合せに限定されない。例えば、追加条件は、音符や各種の記号、或いは足跡等に対応する組合せによって満たされてもよい。また、追加条件は、各ゲーム機３の押す操作毎に満たされる形態に限定されない。例えば、追加条件は、グループＧＰの少なくとも一部のゲーム機３の押す操作の種類の組合せが所定の組合せに該当する場合に満たされてもよい。つまり、追加条件は複数のゲーム機３にそれぞれ対応する二以上の押す操作の組合せによって満たされてもよい。このような二以上の押す操作の組合せは、ゲーム機３毎の押す操作が追加条件を満たす場合に追加的に採用されてもよい。また、各押しボタンＢＤに対する押す操作は、全て同時に実行されてもよいし、所定時間（同時と認識される短時間を含む）内に実行されてもよい。同様に、コメントサービスはマッチング中の所定期間に限定されず、例えばゲームのプレイ中等の適宜の時期に提供されてよい。
【００２９】
次に、コメントデータ５１の詳細を説明する。コメントデータ５１は、所作の種類の一例として押す操作の種類とそれに関連付けられるコメントとを記述したレコードの集合である。図５は、コメントデータ５１の構成の一例を示す図である。図５に示すように、コメントデータ５１は、コメント欄５７に表示されるべきコメントを管理するコメントレコードＲＳを含んでいる。コメントレコードＲＳは、“コメントＩＤ”、“コメント”、及び“組合せ”の情報を含んでいる。“コメントＩＤ”は、各コメント、つまり各コメントレコードＲＳを識別するための情報である。“コメント”は、図４の例の“ひひーん”等、各コメントの内容を示す情報である。“組合せ”は、図４の例の馬の形状を示す押す操作等の押す操作の種類、つまり押しボタンＢＤの組合せを示す情報である。コメントレコードＲＳには、これらの情報が相互に関連付けて記録されている。
【００３０】
次に、図６及び図７を参照して、サービス提供部２４及びゲーム提供部３３が実行するコメント追加処理及び案内追加処理の手順を説明する。コメント追加処理及び案内追加処理は、いずれも上述のコメントサービスを提供するための処理である。より具体的には、コメント追加処理は、マッチング中に押す操作が実行された場合に、コメントデータ５１に含まれるコメントレコードＲＳに基づいて、実際に実行された押す操作の種類（押しボタンＢＤの組合せ）に従ってコメント欄５７を案内画面６０に表示させるための処理である。なお、図６及び図７の例の左側はゲーム機３のゲーム提供部３３の処理を、右側はセンターサーバ２のサービス提供部２４の処理を、それぞれ示している。
【００３１】
いずれかのゲーム機３にてユーザがマッチング中に押す操作を実行すると、ゲーム提供部３３は図６のコメント処理を開始し、まず、そのユーザの押す操作の操作結果を取得する（ステップＳ１０１）。次に、ゲーム提供部３３は、その操作結果に対応する操作結果を自己の表示装置３７に表示させる（ステップＳ１０２）。具体的には、ゲーム提供部３３は、その操作結果に対応する案内画像５５を含む案内画面６０を表示させる。続いて、ゲーム提供部３３は、ステップＳ１０１で取得した操作結果をセンターサーバ２に送信する（ステップＳ１０３）。
【００３２】
センターサーバ２のサービス提供部２４は、操作結果を取得すると図６のコメント処理を開始し、まず取得した操作結果が追加条件を満たすか否か判別する（ステップＳ２０１）。具体的には、サービス提供部２４は、取得した操作結果に対応する押す操作の種類がコメントデータ５１で定義される押しボタンＢＤの組合せに該当するか否か、つまりコメントレコードＲＳに含まれる“組合せ”に対応する組合せに該当するか否か判別する。サービス提供部２４は、追加条件が満たされると判別した場合、その押す操作の種類に対応するコメントをコメントデータ５１に基づいて特定する（ステップＳ２０２）。具体的には、サービス提供部２４は、その押す操作の種類に対応する“組合せ”の情報に関連付けられる“コメント”の情報を特定する。つまり、サービス提供部２４は、コメントレコードＲＳの“コメント”の情報を介してその押す操作の種類に関連付けられるコメントを特定する。
【００３３】
一方、ステップＳ２０１において追加条件が満たされないと判別した場合、或いはステップＳ２０２においてコメントを特定した後に、サービス提供部２４は操作結果の送信元のゲーム機３に送信すべき送信情報を生成する（ステップＳ２０３）。この送信情報は、ステップＳ２０２においてコメントが特定されている場合にはそのコメントの情報を含んでいる。一方、送信情報は、追加条件が満たされない場合にはその旨を示す情報を含んでいてもよい。そして、サービス提供部２４は、ステップＳ２０３で生成した送信情報を操作結果の送信元のゲーム機３に送信し（ステップＳ２０４）、今回の処理を終える。なお、送信情報は、その他にも各種の情報を含んでいてよい。例えば、送信情報は、追加条件が満たされない場合に、“後１つで馬完成！”（つまり後一つ押しボタンＢＤを押せば追加条件が満たされる）といったユーザ間のコミュニケーションを助けるためのアドバイス情報を含んでいてもよい。
【００３４】
ゲーム提供部３３は、送信情報を取得するとその送信情報に基づいて追加表示が必要か否か判別する（ステップＳ１０４）。具体的には、ゲーム提供部３３は、送信情報がコメントの情報を含んでいる場合、追加表示が必要と判別する。一方、コメントの情報を含んでいない場合、或いは追加条件が満たされないことを示す情報が含まれている場合、ゲーム提供部３３は追加表示の必要なしと判別する。追加表示が必要と判別した場合、ゲーム提供部３３は、案内画面６０にコメントを追加する（ステップＳ１０５）。つまり、ゲーム提供部３３は、その送信情報に含まれるコメントを表示するコメント欄５７を案内画面６０に追加的に表示する。一方、追加表示が不要と判別した場合、或いは案内画面６０にコメントを追加した後に、ゲーム提供部３３は今回の処理を終える。これにより、各ゲーム機３における操作結果が追加条件を満たす場合に、その操作結果の種類に対応するコメントが追加的に案内画面６０に表示される。なお、ゲームデータ５２がコメントデータ５１を含む場合、サービス提供部２４と同様の処理をゲーム提供部３３が実行してもよい。つまり、センターサーバ２側の処理は省略され、コメント追加処理はゲーム機３だけで実行されてもよい。
【００３５】
一方、案内追加処理は、一のゲーム機３Ａによって押す操作が実行された場合に、その実際に実行された押す操作の内容及びその押す操作の種類に応じたコメントを同じグループに属する他のゲーム機３Ｂの案内画面６０に表示させるための処理である。マッチング中（所定期間内）に一のゲーム機３Ａから操作結果の情報を取得すると、サービス提供部２４は図７の案内追加処理を開始し、まず、その取得した操作結果の送信元のゲーム機３（一のゲーム機３Ａ）が属するグループＧＰを特定する（ステップＳ３０１）。筐体ＩＤ等の各ゲーム機３を識別するための筐体識別情報を通じてマッチング相手の各ゲーム機３が管理されている場合は、各グループＧＰはそのような筐体識別情報を通じて特定されてよい。また、このような筐体識別情報及び各グループＧＰを識別するためのグループ識別情報を関連付けるグループデータ（不図示）が管理されている場合は、各グループＧＰはそのようなグループデータに基づいて特定されてよい。
【００３６】
次に、サービス提供部２４は、図６のステップＳ２０１と同様に、その取得した操作結果が追加条件を満たすか否か判別する（ステップＳ３０２）。サービス提供部２４は、追加条件が満たされると判別した場合、図６のステップＳ２０２と同様に、その押す操作の種類に対応するコメントをコメントデータ５１に基づいて特定する（ステップＳ３０３）。一方、ステップＳ３０２において追加条件が満たされないと判別した場合、或いはステップＳ３０３においてコメントを特定した後に、サービス提供部２４は他のゲーム機３Ｂに送信すべき送信情報を生成する（ステップＳ３０４）。この送信情報には、一のゲーム機３Ｂの操作結果の情報（その操作結果の詳細情報）及びステップＳ３０３においてコメントが特定されている場合にはそのコメントの情報を含んでいる。そして、サービス提供部２４は、ステップＳ３０４で生成した送信情報を他のゲーム機３Ｂに送信し（ステップＳ３０５）、今回の処理を終える。この場合、送信情報が本発明の第１情報及び第２情報として機能する。より具体的には、送信情報に含まれる情報のうち、他のゲーム機３Ｂが案内画像５５を表示するために使用する操作結果の情報が本発明の第１情報として機能する。また、他のゲーム機３Ｂがコメント欄５７を表示するために使用するコメントの情報が本発明の第２情報及びコメント情報として機能する。
【００３７】
他のゲーム機３Ｂのゲーム提供部３３は、送信情報を取得するとその送信情報に基づいて案内画面６０に表示を追加する（ステップＳ１０４）。具体的には、一のゲーム機３Ａの操作結果の情報に基づいて、その操作結果の内容を示す配色の押しボタン画像５６を含む案内画像５５を案内画面６０に表示する。また、ゲーム提供部３３は、送信情報がコメントの情報を含む場合には、そのコメントを表示するコメント欄５７を案内画面６０に追加する。そして、案内画面６０に一のゲーム機３Ａの案内画像５５を追加した後に、ゲーム提供部３３は今回の処理を終える。これにより、案内画面６０にマッチング相手の案内画像５５、及び追加条件が満たされる場合にはコメント欄５７が表示される。つまり、そのような案内画像５５及びコメント欄５７を介して、一のゲーム機３Ａの操作結果の内容及びその操作結果に対応するコメントが他のゲーム機３Ｂのユーザに案内される。
【００３８】
以上に説明したように、この形態によれば、コメントサービスによって提供されるコミュニケーションは、ユーザの押す操作に伴う第１反応及びその押す操作が追加条件を満たす場合に第１反応に付随するように付加される第２反応を含んでいる。このため、追加条件が満たされる場合には、一のゲーム機３Ａのユーザの実際の押す操作に伴い、第１反応及び第２反応の両方を他のゲーム機３Ｂに付加することができる。つまり、ユーザの押す操作に直接関連する第１反応だけでなく、付加的反応として第２反応も他のゲーム機３Ｂのユーザに提供することができる。
【００３９】
具体的には、一のゲーム機３Ａのユーザの押す操作に伴い、マッチング相手の他のゲーム機３Ｂにまず第１反応として案内画像５５が表示される。案内画像５５は、１６個の格子状の押しボタン画像５６を含んでいるので、押す操作に伴う押しボタン画像５６の配色の変化を通じて絵や記号等を表現することができる。つまり、このような案内画像５５を通じて簡単なコミュニケーションを図ることができる。さらに、その押す操作の種類が追加条件を満たす場合、つまり押された押しボタンＢＤの組合せが所定の組合せに該当する場合には、他のゲーム機３Ｂにはその押す操作の種類に対応するコメントが第２反応として表示される。つまり、案内画像５５の提供だけでなく、その押す操作をコメントの送信としても活用することができる。これにより、押しボタン画像５６の配色の変化を通じた簡易的コミュケーションに加えて、コメントの送信という付加的反応の伴うコミュニケーションを実現することができる。さらに、このような付加的反応は、追加条件がユーザに明らかになるまでは隠し要素として機能する。このため、このような付加的反応を通じて別途遊びの要素を付加することもできる。
【００４０】
また、このようなコミュニケーションがマッチング中に実行される場合には、マッチングの待ち時間に案内画像５５及びコメントをマッチング相手のゲーム機３に付加することができるので、マッチングの待ち時間を活用して音楽ゲームの一部を共有するユーザ間のコミュニケーションを促進することができる。これにより、マッチング中、或いはコメントの送受信自体に面白み（遊びの要素）を付加することができる。結果として、待ち時間やコミュニケーションの単調化を抑制することができるので、マッチング中のコミュニケーションを活発化させることができる。
【００４１】
以上の形態において、センターサーバ２のサービス提供部２４が、図７のルーチンを実行することにより本発明の対象特定手段、第１情報提供手段、及び第２情報提供手段の一例として機能する。より具体的には、サービス提供部２４は、図７のステップＳ３０１を実行することにより対象特定手段の一例として機能し、ステップＳ３０５を実行することにより第１情報提供手段及び第２情報提供手段の一例として機能する。
【００４２】
本発明は上述した形態に限定されず、適宜の変形又は変更が施された形態にて実施されてよい。例えば、上記の形態では、マッチング相手がコミュニケーションの対象として利用されている。そして、そのようなマッチング相手によって形成されるグループが所定の条件として利用され、コミュニケーションの相手として特定されている。しかし、コミュニケーション先を特定するための所定の条件は、このような形態に限定されない。例えば、所定の条件として、付加対象のゲーム装置を指定するためのユーザの入力所作（例えば操作部を通じた入力操作等）が採用されてもよいし、ゲームのプレイ状況（例えば同じ進行状況のユーザやゲーム結果にランキングが設けられる場合にはランキング上位者等）が採用されてもよい。つまり、所定の条件として、コミュケーション先を特定可能な各種の条件が利用されてよい。
【００４３】
また、上述の形態では、複数種類の押す操作と複数のコメントとが関連付けられ、実際の押す操作の種類によって第２反応としてのコメントが特定されている。しかし、本発明は、このような形態に限定されない。例えば、コメントはユーザの押しボタンＢＤへの操作によって一文字ずつ任意に入力され、このような入力結果に対応するコメントが第１反応として付加されてもよい。この場合、例えば、第２反応としてコメントが追加条件を満たす場合に更に別のコメントが付加的に表示されてもよいし、入力結果に対応するコメントを補助や演出する画像等が追加的に表示されてもよい。つまり、第１反応としてコメントが付加されてもよいし、第２反応として更にコメントが付加されてもよい。
【００４４】
同様に、上述の形態では、ユーザの所作として押しボタンＢＤに対する押す操作が採用されている。しかし、本発明は、このような形態に限定されない。例えば、入力装置３６としてタッチパネルが設けられ、そのタッチパネルに対するタッチ操作がユーザの所作として利用されてもよい。具体的には、例えば、案内画面６０はタッチ操作されるべき複数のタッチ領域を含み、各タッチ領域は各押しボタンＢＤに相当するように配置されていてもよい。あるいは、ユーザの所作として、ユーザの動作が採用されてもよい。具体的には、例えば、ユーザの右手を上げる動作、水平に維持する動作、或いは右足を上げる動作等が第１反応等の契機となる所作として採用されてもよい。この場合、複数種類の動作と複数のコメントとがそれぞれ関連付けられていてもよい。
【００４５】
ゲーム装置はアーケードゲーム機として構成されたゲーム機に限定されず、ユーザ端末装置４等がゲーム装置として含まれてもよい。また、ゲーム機はユーザ端末装置４等を遠隔入出力装置として利用しつつセンターサーバ２等のサーバ上で仮想的に動作するゲーム装置として構成されてもよい。一方で、ゲーム装置がセンターサーバ２として機能してもよい。つまり、上述の形態のセンターサーバ２の役割（各種処理等）の全部或いは一部をゲーム機３等のゲーム装置が実行してもよい。この場合、例えば、他のゲーム機３Ｂ自体がセンターサーバ２として機能してもよい。つまり、一のゲーム機３Ａと他のゲーム機３Ｂとの間に他の装置が介在せずにコメントの送受信が実現されてもよい。
【００４６】
上述した実施の形態及び変形例のそれぞれから導き出される本発明の各種の態様を以下に記載する。なお、以下の説明では、本発明の各態様の理解を容易にするために添付図面に図示された対応する部材を括弧書きにて付記するが、それにより本発明が図示の形態に限定されるものではない。
【００４７】
本発明のゲームシステムは、各ユーザの所作を利用するゲームをそれぞれ提供する複数のゲーム装置（３）にネットワーク（５）を介して接続され、各ゲーム装置を通じて前記ゲームを提供するゲームシステム（１）であって、前記複数のゲーム装置の一のゲーム装置（３Ａ）において当該一のゲーム装置のユーザによって実際の所作が実行された場合に、当該実際の所作に対応する第１反応が付加されるべき付加対象のゲーム装置（３Ｂ）を所定の条件に基づいて特定する対象特定手段（２４）と、前記対象特定手段の特定結果に基づいて、前記第１反応を付加するための第１情報を前記付加対象のゲーム装置に提供する第１情報提供手段（２４）と、前記実際の所作が追加条件を満たした場合に、前記第１反応とは別の第２反応を付加するための第２情報を前記付加対象のゲーム装置に提供する第２情報提供手段（２４）と、を備え、前記第１情報提供手段及び前記第２情報提供手段の少なくともいずれか一方は、前記第１情報及び前記第２情報の少なくともいずれか一方として前記ユーザのコメントを提供するためのコメント情報を前記付加対象のゲーム装置に提供するものである。
【００４８】
本発明によれば、追加条件が満たされる場合には、一のゲーム装置のユーザの実際の所作に伴う第１情報及び第２情報の提供により第１反応及び第２反応の両方を付加対象のゲーム装置に付加することができる。つまり、ユーザの所作に直接関連する第１反応だけでなく、付加的反応として第２反応も付加対象のゲーム装置のユーザに提供することができる。また、第１情報及び第２情報の少なくともいずれか一方としてコメント情報が利用されるので、これらの第１反応（直接的反応）及び第２反応（付加的反応）の少なくともいずれか一方をコメントの送信として活用することができる。つまり、これらの第１反応及び第２反応の少なくともいずれか一方を付加対象のゲーム装置のユーザとの間のコミュニケーションとして利用することができる。これにより、コメントの送信に伴う付加的反応、或いは付加的反応としてのコメントの送信といった具合に、付加的反応の伴うコミュニケーションを実現することができる。結果として、コメントの送受信に面白味（遊びの要素）を付加することができるので、コミュニケーションの単調化を抑制し、コミュニケーションを活発化させることができる。
【００４９】
所定の条件として、付加対象のゲーム装置を特定可能な各種の条件が採用されてよい。例えば、所定の条件として、付加対象のゲーム装置を指定するためのユーザの入力所作（例えば操作部を通じた入力操作等）が採用されてもよいし、ゲームのプレイ状況（例えば同じ進行状況のユーザやゲーム結果にランキングが設けられる場合にはランキング上位者等）が採用されてもよい。つまり、付加対象のゲーム装置はユーザの入力結果に基づいて特定されてもよいし、予め設定された条件に基づいてゲームシステムによって特定されてもよい。例えば、複数のゲーム装置の少なくとも一部においてグループが形成される場合には、このような予め設定された条件としてそのグループが利用されてもよい。具体的には、例えば、本発明のゲームシステムの一態様において、前記対象特定手段は、前記一のゲーム装置がグループ条件に基づくグループ（ＧＰ）に属する場合に、当該グループを前記所定の条件として利用し、当該グループに属する他のゲーム装置（３Ｂ）を前記付加対象のゲーム装置として特定してもよい。
【００５０】
グループ条件として、二以上のゲーム装置をグループ化する各種の条件が採用されてよい。また、グループ条件に基づいて予めグループが形成されていてもよいし、プレイの際に適宜グループが形成されてもよい。同様に、第１反応及び第２反応は各種の時期に付加されてよい。例えば、グループ条件を利用する本発明の態様において、前記ゲームは、二以上のゲーム装置（３Ａ、３Ｂ）を所定期間にマッチングし、当該二以上のゲーム装置によって少なくとも一部が共有されるように構成され、前記対象特定手段は、前記二以上のゲーム装置が前記グループとして機能するように前記マッチングの結果を前記グループ条件として利用し、前記第１情報提供手段及び前記第２情報提供手段は、前記所定期間において前記第１情報及び前記第２情報を前記他のゲーム装置に提供してもよい。この場合、マッチング中の期間、つまりマッチング中の待ち時間に第１反応及び第２反応を付加することができる。これにより、マッチング中の待ち時間を活用してゲームの一部を共有するユーザ間のコミュニケーションを促進することができる。
【００５１】
第１反応及び第２反応のどちらがコメントとして利用されてもよい。例えば、両方がコメントとして機能してもよいし、いずれか一方がコメントとして機能してもよい。また、いずれか一方がコメントとして機能する場合、他方の反応として各種の反応が採用されてよい。例えば、他方の反応として、コメントに対応する画像（例えば補助或いは演出する画像等）が付加されてもよいし、その反対に画像に対応するコメントが付加されてもよい。例えば、本発明のゲームシステムの一態様において、前記第１情報提供手段は、前記ユーザによって複数種類の所作が実行され得る場合に、前記第１反応として前記実際の所作の種類の案内（５５）が付加されるように、前記実際の所作の種類の情報を前記第１情報として前記付加対象のゲーム装置に提供し、前記第２情報提供手段は、前記複数種類の所作が複数のコメントにそれぞれ関連付けられる場合に、前記第２反応として前記実際の所作の種類に対応するコメント（５７）が付加されるように、当該コメントに対応する前記コメント情報を前記第２情報として前記付加対象のゲーム装置に提供してもよい。
【００５２】
ユーザの所作として、各種の態様が採用されてよい。例えば、ユーザの所作として、ユーザの動作が採用されてもよいし、操作部が設けられている場合にはその操作部に対する操作が採用されてもよい。また、実際の所作の種類の案内及びコメントの付加は、各種の態様で実現されてよい。例えば、このような案内及び付加は、表示装置を通じて視覚的に提供されてもよいし、音声を通じて聴覚的に提供されてもよい。例えば、第２反応としてコメントが付加される本発明の態様において、前記第１情報提供手段は、各ゲーム装置が複数の操作部（ＢＤ）及び表示装置（３７）を有する場合に、前記複数の操作部の少なくとも一部に対する操作の組合せの相違を前記複数種類の所作のそれぞれとして利用し、前記操作の組合せを示す組合せ画像（５５）を前記案内として含む案内画面（６０）を前記表示装置が表示するように、前記操作の組合せの情報を前記実際の所作の種類の情報として前記付加対象のゲーム装置に提供し、前記第２情報提供手段は、前記追加条件として前記操作の組合せを利用し、当該操作の組合せが所定の組合せに該当する場合に、当該操作の組み合わせに対応するコメントが前記第２反応として前記案内画面に表示されるように、当該コメントに対応する前記コメント情報を前記付加対象のゲーム装置に提供してもよい。
【００５３】
一方、本発明のコンピュータプログラムは、前記複数のゲーム装置に前記ネットワークを介して接続されるコンピュータ（２４）を、上述のゲームシステムの各手段として機能させるように構成されたものである。本発明のコンピュータプログラムが実行されることにより、本発明のゲームシステムを実現することができる。
【符号の説明】
【００５４】
１  ゲームシステム
２  センターサーバ
３  ゲーム機（ゲーム装置）
５  ネットワーク
２４  サービス提供部(コンピュータ、対象特定手段、第１情報提供手段、第２情報提供手段）
５５  案内画像（組合せ画像）
５７  コメント欄（コメント）
３Ａ  一のゲーム機（一のゲーム装置）
３Ｂ  他のゲーム機（他のゲーム装置）
ＧＰ  グループ
【図１】
2019017665.tif 000003
【図２】
2019017665.tif 000004
【図３】
2019017665.tif 000005
【図４】
2019017665.tif 000006
【図５】
2019017665.tif 000007
【図６】
2019017665.tif 000008
【図７】
2019017665.tif 000009
【手続補正書】
【提出日】平成30年7月23日(2018.7.23)
【手続補正１】
【補正対象書類名】特許請求の範囲
【補正対象項目名】請求項１
【補正方法】変更
【補正の内容】
【請求項１】
各ユーザの所作を利用するゲームをそれぞれ提供する複数のゲーム装置にネットワークを介して接続され、各ゲーム装置を通じて前記ゲームを提供するゲームシステムであって、
前記複数のゲーム装置の一のゲーム装置において当該一のゲーム装置のユーザによって実際の所作が実行された場合に、当該実際の所作に対応する第１反応が付加されるべき付加対象のゲーム装置を所定の条件に基づいて特定する対象特定手段と、
前記対象特定手段の特定結果に基づいて、前記第１反応を付加するための第１情報を前記付加対象のゲーム装置に提供する第１情報提供手段と、
前記実際の所作が追加条件を満たした場合に、前記第１反応とは別の第２反応を付加するための第２情報を前記付加対象のゲーム装置に提供する第２情報提供手段と、
を備え、
前記第１情報提供手段及び前記第２情報提供手段の少なくともいずれか一方は、前記第１情報及び前記第２情報の少なくともいずれか一方としてコメントを提供するためのコメント情報を前記付加対象のゲーム装置に提供する、ゲームシステム。
【手続補正書】
【提出日】平成30年10月17日(2018.10.17)
【手続補正１】
【補正対象書類名】特許請求の範囲
【補正対象項目名】全文
【補正方法】変更
【補正の内容】
【特許請求の範囲】
【請求項１】
各ユーザの所作を利用するゲームをそれぞれ提供する複数のゲーム装置にネットワークを介して接続され、各ゲーム装置を通じて前記ゲームを提供するゲームシステムであって、
前記複数のゲーム装置の一のゲーム装置において当該一のゲーム装置のユーザによって実際の所作が実行された場合に、当該実際の所作に対応する第１反応が付加されるべき付加対象のゲーム装置を所定の条件に基づいて特定する対象特定手段と、
前記対象特定手段の特定結果に基づいて、前記第１反応を付加するための第１情報を前記付加対象のゲーム装置に提供する第１情報提供手段と、
前記実際の所作が追加条件を満たした場合に、前記第１反応とは別の第２反応を付加するための第２情報を前記付加対象のゲーム装置に提供する第２情報提供手段と、
を備え、
前記第１情報提供手段及び前記第２情報提供手段の少なくともいずれか一方は、前記第１情報及び前記第２情報の少なくともいずれか一方としてコメントを提供するためのコメント情報を前記付加対象のゲーム装置に提供し、
前記第１情報提供手段は、前記ユーザによって複数種類の所作が実行され得る場合に、前記第１反応として前記実際の所作の種類の案内が付加されるように、前記実際の所作の種類の情報を前記第１情報として前記付加対象のゲーム装置に提供し、
前記第２情報提供手段は、前記複数種類の所作が複数のコメントにそれぞれ関連付けられる場合に、前記第２反応として前記実際の所作の種類に対応するコメントが付加されるように、当該コメントに対応する前記コメント情報を前記第２情報として前記付加対象のゲーム装置に提供する、ゲームシステム。
【請求項２】
前記対象特定手段は、前記一のゲーム装置がグループ条件に基づくグループに属する場合に、当該グループを前記所定の条件として利用し、当該グループに属する他のゲーム装置を前記付加対象のゲーム装置として特定する、請求項１に記載のゲームシステム。
【請求項３】
前記ゲームは、二以上のゲーム装置を所定期間にマッチングし、当該二以上のゲーム装置によって少なくとも一部が共有されるように構成され、
前記対象特定手段は、前記二以上のゲーム装置が前記グループとして機能するように前記マッチングの結果を前記グループ条件として利用し、
前記第１情報提供手段及び前記第２情報提供手段は、前記所定期間において前記第１情報及び前記第２情報を前記他のゲーム装置に提供する、請求項２に記載のゲームシステム。
【請求項４】
前記第１情報提供手段は、各ゲーム装置が複数の操作部及び表示装置を有する場合に、前記複数の操作部の少なくとも一部に対する操作の組合せの相違を前記複数種類の所作のそれぞれとして利用し、前記操作の組合せを示す組合せ画像を前記案内として含む案内画面を前記表示装置が表示するように、前記操作の組合せの情報を前記実際の所作の種類の情報として前記付加対象のゲーム装置に提供し、
前記第２情報提供手段は、前記追加条件として前記操作の組合せを利用し、当該操作の組合せが所定の組合せに該当する場合に、当該操作の組み合わせに対応するコメントが前記第２反応として前記案内画面に表示されるように、当該コメントに対応する前記コメント情報を前記付加対象のゲーム装置に提供する、請求項１〜３のいずれか一項に記載のゲームシステム。
【請求項５】
前記複数のゲーム装置に前記ネットワークを介して接続されるコンピュータを、請求項１〜４のいずれか一項に記載のゲームシステムの各手段として機能させるように構成されたコンピュータプログラム。